(57)【要約】【課題】発生される泡の寸法が微細で均一である手持ち式泡発生装置の提供。【解決手段】ハンドルと、Ｔ字形を呈する三方チューブと、儲液円筒と、泡発生ノズルと、を含む手持ち式泡発生装置において、前記三方チューブには、横流路と、縦流路と、が設けられ、前記横流路の両端には開口がそれぞれ設けられ、前記二つの開口には、前記ハンドルと、前記泡発生ノズルと、がそれぞれ連接され、前記泡発生ノズルは、本体と、多孔質体と、泡ろ過ユニットと、を含み、前記本体は、その内部には収容空間が設けられ、前記収容空間が前記横流路と連通しており、前記本体は、ケースと、外蓋と、を含み、前記多孔質体は、前記収容空間の前記横流路に近接する箇所に設けられ、前記本体の一部の内壁面と密接しており、前記泡ろ過ユニットは、除け板と、ろ過網と、を含み、前記除け板と前記噴出穴の間には前記ろ過網が延在している。【選択図】図３
0003151688.tif 000002
【実用新案登録請求の範囲】
【請求項１】
ハンドルと、Ｔ字形を呈する三方チューブと、儲液円筒と、泡発生ノズルと、を含む手持ち式泡発生装置において、
前記三方チューブには、横流路と、縦流路と、が設けられ、前記横流路の両端には開口がそれぞれ設けられ、前記二つの開口には、前記ハンドルと、前記泡発生ノズルと、がそれぞれ連接され、前記縦流路の一端が前記横流路と連通しており、前記縦流路の他端が前記儲液円筒と連通しており、
前記泡発生ノズルは、本体と、多孔質体と、泡ろ過ユニットと、を含み、
前記本体は、その内部には収容空間が設けられ、前記収容空間が前記横流路と連通しており、前記本体は、ケースと、外蓋と、を含み、前記外蓋は、前記ケースの前記横流路から遠ざかった一端に設けられ、その上では前記収容空間と連通している噴出穴が設けられ、
前記多孔質体は、前記収容空間の前記横流路に近接する箇所に設けられ、前記本体の一部の内壁面と密接しており、
前記泡ろ過ユニットは、除け板と、ろ過網と、を含み、前記除け板と前記噴出穴の間には前記ろ過網が延在しており、前記ろ過網にある穴の直径が前記多孔質体にある穴の平均直径よりも小さく、前記ろ過網と前記本体の内壁面の間には緩衝空間が形成され、前記ろ過網と前記除け板の間には泡集め空間が形成され、前記泡集め空間が前記噴出穴と連通していることを特徴とする、手持ち式泡発生装置。
【請求項２】
前記除け板の一面は前記多孔質体にしっかりと押付けられることを特徴とする、請求項１に記載の手持ち式泡発生装置。
【請求項３】
前記泡ろ過ユニットは、更に、複数の補強リブを含むことを特徴とする、請求項１に記載の手持ち式泡発生装置。
【請求項４】
前記三方チューブには、少なくとも一つのバルブが設けられ、前記横流路と前記縦流路との開閉が前記バルブに制御されることを特徴とする、請求項１から３のうちの何れかの１項に記載の手持ち式泡発生装置。
【請求項５】
前記儲液円筒の上端には充填穴が設けられることを特徴とする、請求項１から３のうちの何れかの１項に記載の手持ち式泡発生装置。
【請求項６】
前記三方チューブには、その縦方向に沿うフックが設けられることを特徴とする、請求項１から３のうちの何れかの１項に記載の手持ち式泡発生装置。
【考案の詳細な説明】
【技術分野】
【０００１】
本考案は泡発生装置に係り、特に車両を洗浄するための手持ち式泡発生装置に関するものである。
【背景技術】
【０００２】
車両は、一定期間使用されると、ホコリや汚れがその表面に付着し、車両の表面に付着したホコリや汚れを除去するために、車両を定期に洗浄することが必要になる。
【０００３】
車両の洗浄は、車両を洗浄する専門店に依頼してもいいし、ユーザ自身が洗浄してもよい。ユーザ自身が車両を洗浄する場合には、手持ち式泡発生装置を使用することが多い。従来の手持ち式泡発生装置は、例えば台湾特許ＴＷＭ270096号の「泡噴出銃」が提案され、この泡噴出銃は、ベンチュリ効果を利用し、洗浄液をガイドして多孔質体を通過させることにより泡を発生する。しかし、このような泡噴出銃によれば、多孔質体だけによって泡を発生させるので、発生される泡の寸法が均一ではなく、これにより、泡の車両に付着する効果は良くなく、且つより大きい泡が破裂し易く、そうすると、洗浄液が周りに飛び散るという問題があった。
【先行技術文献】
【特許文献】
【０００４】
【特許文献１】台湾特許ＴＷＭ270096号公報
【考案の概要】
【考案が解決しようとする課題】
【０００５】
本考案の主な目的は、発生される泡の寸法が微細で均一である手持ち式泡発生装置を提供することにある。
【課題を解決するための手段】
【０００６】
本考案の請求項１に記載の手持ち式泡発生装置によると、ハンドルと、Ｔ字形を呈する三方チューブと、儲液円筒と、泡発生ノズルと、を含む手持ち式泡発生装置において、
前記三方チューブには、横流路と、縦流路と、が設けられ、前記横流路の両端には開口がそれぞれ設けられ、前記二つの開口には、前記ハンドルと、前記泡発生ノズルと、がそれぞれ連接され、前記縦流路の一端が前記横流路と連通しており、前記縦流路の他端が前記儲液円筒と連通しており、前記泡発生ノズルは、本体と、多孔質体と、泡ろ過ユニットと、を含み、前記本体は、その内部には収容空間が設けられ、前記収容空間が前記横流路と連通しており、前記本体は、ケースと、外蓋と、を含み、前記外蓋は、前記ケースの前記横流路から遠ざかった一端に設けられ、その上では前記収容空間と連通している噴出穴が設けられ、前記多孔質体は、前記収容空間の前記横流路に近接する箇所に設けられ、前記本体の一部の内壁面と密接しており、前記泡ろ過ユニットは、除け板と、ろ過網と、を含み、前記除け板と前記噴出穴の間には前記ろ過網が延在しており、前記ろ過網にある穴の直径が前記多孔質体にある穴の平均直径よりも小さく、前記ろ過網と前記本体の内壁面の間には緩衝空間が形成され、前記ろ過網と前記除け板の間には泡集め空間が形成され、前記泡集め空間が前記噴出穴と連通していることを特徴とする手持ち式泡発生装置である。
【０００７】
本考案の請求項２に記載の手持ち式泡発生装置によると、前記除け板の一面は前記多孔質体にしっかりと押付けられる。
【０００８】
本考案の請求項３に記載の手持ち式泡発生装置によると、前記泡ろ過ユニットは、更に、複数の補強リブを含む。
【０００９】
本考案の請求項４に記載の手持ち式泡発生装置によると、前記三方チューブには、少なくとも一つのバルブが設けられ、前記横流路と前記縦流路との開閉が前記バルブに制御される。
【００１０】
本考案の請求項５に記載の手持ち式泡発生装置によると、前記儲液円筒の上端には充填穴が設けられる。
【００１１】
本考案の請求項６に記載の手持ち式泡発生装置によると、前記三方チューブには、その縦方向に沿うフックが設けられる。
【考案の効果】
【００１２】
本考案の手持ち式泡発生装置によれば、発生される泡の寸法が微細で均一になる効果を有する。
【図面の簡単な説明】
【００１３】
【図１】本考案の好適な実施例の分解斜視図である。
【図２】本考案の好適な実施例の組合状態の斜視図である。
【図３】本考案の好適な実施例の一部の断面図である。
【図４】本考案の使用状態を示す模式図である。
【考案を実施するための形態】
【００１４】
以下、本考案の実施の形態を図面に基づいて説明する。
まず、図１から図３を参照する。本考案に係る手持ち式泡発生装置は、ハンドル１０と、Ｔ字形を呈する三方チューブ２０と、儲液円筒３０と、泡発生ノズル４０と、を含む。
【００１５】
前記ハンドル１０には引き金１１が設けられ、ユーザが前記引き金１１を押圧すると、圧縮空気が外側に噴出し、前記三方チューブ２０には、横流路２１と、縦流路２２と、が設けられ、前記横流路２１の両端には開口がそれぞれ設けられ、前記二つの開口には、前記ハンドル１０と、前記泡発生ノズル４０と、がそれぞれ連接され、前記縦流路２２の一端が前記横流路２１と連通しており、前記縦流路２２の他端が前記儲液円筒３０と連通しており、前記儲液円筒３０と前記縦流路２２の間には両者を連結する連結構造が設けられ、前記連結構造は、例えば前記三方チューブ２０と前記儲液円筒３０とに螺旋などの手段を設けるものであり、更に、前記儲液円筒３０の上端には充填穴が設けられてもよく、そうすると、前記儲液円筒３０に洗浄液を充填することが便利になり、更に、前記充填穴に蓋３１を設けてもよく、前記蓋３１と前記儲液円筒３０の連結方法は、螺合、係合、又は貼付などの方法を採用してもよい。又は前記充填穴に一方向通行可能なバルブを設けてもよく、そうすると、前記蓋３１を省略することができる。一方、前記三方チューブ２０には、二つのバルブ２３、２４が設けられ、前記横流路２１と前記縦流路２２との開閉が前記バルブ２３、２４に制御される。また、前記三方チューブ２０には、その縦方向に沿うフック２５が設けられる。
【００１６】
前記泡発生ノズル４０は、本体４１と、多孔質体４２と、泡ろ過ユニット４３と、を含む。前記本体４１は、その内部には収容空間が設けられ、前記収容空間が前記横流路２１と連通しており、前記本体４１は、ケース４４と、外蓋４５と、を含み、前記外蓋４５は、前記ケース４４の前記横流路２１から遠ざかった一端に設けられる。すなわち、前記収容空間が前記ケース４４と前記外蓋４５とに構成され、前記外蓋４５には前記収容空間と連通している噴出穴４６が設けられる。本実施例では、前記ケース４４と前記外蓋４５の結合手段が螺合を採用し、もちろん、前記ケース４４と前記外蓋４５の結合手段は、前記ケース４４に前記外蓋４５を脱着可能な何れかの方法を採用してもよい。前記多孔質体４２は、前記収容空間の前記横流路２１に近接する箇所に設けられ、前記本体４１の一部の内壁面と密接しており、そうすると、洗浄液を初期に泡にすることができる。前記多孔質体４２は、スポンジでもいいし、硬質で三次元的な網構造でもよい。前記多孔質体４２には、穴が多数設けられ、これらの穴は全て互いに連通しており、又は、５０％以上の穴が互いに連通している。前記泡ろ過ユニット４３は、除け板４７と、ろ過網４８と、を含み、前記除け板４７の一面は前記多孔質体４２にしっかりと押付けられ、前記除け板４７と前記噴出穴４６の間には前記ろ過網４８が延在しており、そして前記ろ過網４８の一部の表面に補強リブ４９を設けることが好ましく、前記補強リブ４９は、前記ろ過網４８の半径方向と軸方向とに沿って設けられる。前記補強リブ４９により、前記ろ過網４８が補強される。前記補強リブ４９は前記除け板４７と一体成形されてもよく、なお、前記ろ過網４８は、前記補強リブ４９から形成される貫通孔だけに設けてもよい。前記ろ過網４８と前記本体４１の内壁面の間には緩衝空間５０が形成され、初期に発生された前記泡は、前記緩衝空間５０に流入されて前記ろ過網４８を通過して、前記ろ過網４８と前記除け板４７の間に形成される泡集め空間５１に流入され、前記泡集め空間５１が前記噴出穴４６と連通しているので、前記泡が前記噴出穴４６から噴出可能である。
【００１７】
次に、図４を参照しながら本考案に係る手持ち式泡発生装置の使用方法を説明する。まず、前記引き金１１を押圧すると、圧縮空気が前記横流路２１を通過し、このとき、儲液円筒３０内にある洗浄液がベンチュリ効果により前記横流路２１に吸上げられて泡発生ノズル４０に進入する。この後、前記多孔質体４２により洗浄液が空気と適当に混合して寸法が均一ではない泡に形成されて前記緩衝空間５０に進入し、そして前記泡がろ過網４８を通過して泡集め空間５１に流入され、前記ろ過網４８にある穴の直径が前記多孔質体４２にある穴の平均直径よりも小さいので、前記泡が微細化され寸法が均一になり、最後に、前記泡が前記噴出穴４６から噴出されて車両の表面に付着する。
【００１８】
上記の説明から明らかなように、前記ろ過網４８により発生される泡は微細化され寸法が均一になり、これにより、車両への付着性が向上し、大きい泡が破裂することによる洗浄液が周りに飛び散る問題がなくなる。一方、前記儲液円筒３０には充填穴が設けられるので、ユーザは自分で洗浄液を充填可能であり、従来のように儲液円筒と三方チューブなどを分離して洗浄液を充填することが必要なくなり、使用性が向上する。また、本考案では、フックが設けられ、噴出穴にはホースなどの延長部材を追加してもよく、そうすると、数キログラムの重量を有する儲液円筒をユーザの身の回りに携帯することが必要なくなり、ユーザの負荷を軽減することができる。
【００１９】
なお、本考案は前記実施の形態に限定されるものではなく、本考案の趣旨に基づいて種々変形させることが可能であり、それらを本考案の範囲から排除するものではない。
【産業上の利用可能性】
【００２０】
本考案は、車両を洗浄する装置に適用することができる。
【符号の説明】
【００２１】
１０：ハンドル、１１：引き金、２０：三方チューブ、２１：横流路、２２：縦流路、２３，２４：バルブ、２５：フック、３０：儲液円筒、３１：蓋、４０：泡発生ノズル、４１：本体、４２：多孔質体、４３：泡ろ過ユニット、４４：ケース、４５：外蓋、４６：噴出穴、４７：除け板、４８：ろ過網、４９：補強リブ、５０：緩衝空間、５１：泡集め空間。
【図１】
0003151688.tif 000003
【図２】
0003151688.tif 000004
【図３】
0003151688.tif 000005
【図４】
0003151688.tif 000006